(57)【要約】  回転ラッチ（２）および爪部（３）から成るロック機構（２，３）を備えた自動車ドア用ロックに関し、ロック機構（２，３）の閉鎖状態において、爪部（３）は、、回転ラッチ（２）のラッチ外形（１０，１３）に抗して、そのロック外形（１１，１２）を支え、ロック外形（１１，１２）は、ホールディング外形（１１）および回転外形（１２）を備えた２つの部品で形成される。【選択図】  図２
2016509140.tif 000002
【特許請求の範囲】
【請求項１】
キャッチ部（２）および爪部（３）を備えるロック機構（２，３）を備えた自動車ドア用ラッチにおいて、前記ロック機構（２，３）が閉鎖された状態において、前記爪部（３）は、そのボルティング外形（１１，１２）で、前記キャッチ部（２）のラチェット外形（１０，１３）と隣接する、前記自動車ドア用ラッチであって、
前記ボルティング外形（１１，１２）は、ホールディング外形（１１）およびアンローリング外形（１２）を備えた２つ部分で設計され、前記ホールディング外形（１１）は、前記ロック機構（２，３）が閉鎖された状態において、主に前記ラチェット外形（１０，１３）と相互作用し、前記アンローリング外形（１２）は、前記キャッチ部（２）の解錠プロセス中に、前記ラチェット外形（１０，１３）上を、必要であれば更に前記キャッチ部（２）のハンドル（１５）上を更にシフトすることを特徴とする、自動車ドア用ラッチ。
【請求項２】
前記爪部（３）のキャッチ端部および前記アンローリング外形（１２）上の前記ホールディング外形（１１）が、互いに接続することを特徴とする、請求項１に記載の自動車ドア用ラッチ。
【請求項３】
前記アンローリング外形（１２）は、前記爪部（３）のリフトアウト方向（Ａ）において、前記ホールディング外形（１１）に接続されることを特徴とする、請求項２に記載の自動車ドア用ラッチ。
【請求項４】
前記アンローリング外形（１２）は、前記爪部（３）のリフトアウト方向において、前記ホールディング外形（１１）を越えて、少なくとも部分的に径方向に突き出ることを特徴とする、請求項２に記載の自動車ドア用ラッチ。
【請求項５】
前記アンローリング外形（１２）は、前記爪部（３）のリフトアウト方向において、前記ホールディング外形（１１）を越えて、径方向に増加して又は次第に突き出ることを特徴とする、請求項４に記載の自動車ドア用ラッチ。
【請求項６】
前記アンローリング外形（１２）は、その閉鎖状態において、前記爪部（３）のリフトアウト方向において、少なくとも部分的に前記キャッチ部（２）とオーバーラップする（オーバーラップ領域１４）ことを特徴とする、請求項１〜５のいずれか一項に記載の自動車ドア用ラッチ。
【請求項７】
前記アンローリング外形（１２）は、前記爪部（３）のリフトアウト方向（Ａ）において、前記ラチェット外形（１０，１３）と、必要に応じて前記キャッチ部（２）の前記ハンドル（１５）と、その閉鎖状態において、オーバーラップすることを特徴とする、請求項１〜５のいずれか一項に記載の自動車ドア用ラッチ。
【請求項８】
前記アンローリング外形（１２）および前記ホールディング外形（１１）は、それぞれ、円弧として設計されることを特徴とする、請求項１〜７のいずれか一項に記載の自動車ドア用ラッチ。
【請求項９】
前記円弧は、異なる半径（ｒ１、ｒ２）および／または中心点（Ｍ１，Ｍ２）で授けられることを特徴とする、請求項８に記載の自動車ドア用ラッチ。
【請求項１０】
前記アンローリング外形（１２）の前記半径（ｒ２）は、前記ホールディング外形（１１）の前記外径（ｒ１）を上回ることを特徴とする、請求項８または９に記載の自動車ドア用ラッチ。
【請求項１１】
前記アンローリング外形（１２）の前記中心点（Ｍ２）および前記ホールディング外形（１１）の前記中心点（Ｍ１）は、少なくとも互いに離れていることを特徴とする、請求項８〜１０のいずれか一項に記載の自動車ドア用ラッチ。
【請求項１２】
好ましくは、共通の接続部分上で、前記保持部（１１）の前記中心地点（Ｍ１）は前記爪部（３）の回転軸（５）の下方に配置され、前記アンローリング外形（１２）の前記中心点（Ｍ２）は前記回転軸（５）の上方に配置されることを特徴とする、請求項１１に記載の自動車ドア用ラッチ。
【請求項１３】
駆動ユニット（７，８）は、その動力化されたリフトアウトの為に、前記爪部（３）に割り当てられることを特徴とする、請求項１〜１２のいずれ一項に記載の自動車ドア用ラッチ。
【請求項１４】
前記駆動ユニット（７，８）は、前記爪部（３）において、作動カム（８）と共に動作することを特徴とする、請求項１３に記載の自動車ドア用ラッチ。
【発明の詳細な説明】
【説明】
【０００１】
本発明は、キャッチ部および爪部を備えるロック機構を備えた自動車ドア用ラッチに関し、爪部は、ロック機構が閉鎖されるとき、そのボルティング外形でキャッチ部のラチェット外形と隣接する。
【０００２】
自動車ドア用ラッチのロック機構は、ラッチの中核構成要素である。なぜなら、ロック機構は、関係する自動車ドアが車両用シャーシと向かい合ってボルト締めされて固定されることを最終的に確実にするからである。このため、キャッチ部および爪部を備えるロック機構は、この点で生じる著しい力を吸収することができるように、固いスチール構造になっている。実際、例えば、ロック機構を含むラッチは、自動車側ドアの内側に配置され、自動車用シャーシ（例えば、Ｂカラム）で、概して閉鎖ピンと相互作用する。
【０００３】
ロック機構の安全性に対する適切さのため、安全性関連の側面を考慮し、現状の技術において改良を与え、特に歪みを遮断する試みがなされてきた。この状況において、DE 42 19 429 C1は、ロック用ボルトによって作動可能なキャッチ部を備えたラッチを教示する。キャッチ部は、爪部によって、プリラチェットおよびメインラチェットにおける所定位置にロック可能である。爪部は、ブロック要素を示すばかりか、安全ブロック要素をも示す。
【０００４】
前述された側部扉用ラッチに似た方式で、後尾扉用ラッチも同様に構成されているが、ここで、ラッチは、後尾扉の内側にロック機構と共に収容され、関係するロック用ボルトは、ローディング土台（sill）上に収容される。そのような後尾扉用ラッチまたは後尾扉の為の複数のラッチは、現在、整然と機械的に解錠される。このため、関係する駆動ユニットは、爪部で動作し、それをリフトアウトする。したがって、キャッチ部は、概してバネ支持方式で解錠され、ロック用ボルト、したがって、自動車用シャーシと向かい合う後尾扉を解除する。
【０００５】
DE 296 12 524 Uを規定するカテゴリの範囲内で、自動車用シャーシにおいて、後尾扉用フラップを閉鎖し、締結し、解錠する為の装置が説明されている。ここで、締結レバーが、キャッチ部に対し同軸に、盾形部（escutcheon）に装着される。爪部は、締結レバー上でキャッチ部に偏心して配置されるので、締結レバーを用いて、キャッチ部から機械的に持ち上げられる。現時点において、締結機能および爪部の作動の機械的結合は、慣例の知識で達成される。
【０００６】
前述した理由からキャッチ部および爪部は固いので、求められていない面倒と思われる「音をたてる」ノイズが何度も現れる。後尾扉はトランク空間容積を密封し、トランク空間容積は、この点で共振容積として作用可能であるという事実から、これらは、しばしば、更に維持され、増強される。本発明は、全体的な改善策を提供することを意図している。
【０００７】
【概要】
【０００８】
本発明は、ロック機構のノイズの作用が全体的に改良されるように、最初に説明された設計の自動車ドア用ラッチを更に開発する技術的課題に基づき、爪部がキャッチ部から持ち上げられるとき、可能な限り、ノイズを最小にする点に重点が置かれている。
【０００９】
技術的課題を解決するために、本発明の範囲内の一形式の適した自動車ドア用ラッチは、ボルティング外形が、ホールディング外形およびアンローリング外形を備えた二部品設計のものであり、ホールディング外形は、ロック機構が閉鎖された状態で、主にラチェット外形と相互作用し、アンローリング外形は、ラチェット外形上を、必要であれば更にキャッチ部のハンドル上を、キャッチ部の解錠プロセス中に転がり落ち、結果的に、解錠キャッチ部は、爪部のアンローリング土台から、実用的に静かにリフトオフされる。
【００１０】
本発明の範囲内で、爪部は、特別なボルティング外形で結果的に授けられる。ボルティング外形は、ホールディング外形とアンローリング外形とを根本的に備え、これらは異なる設計を有する。実際、ロック機構の閉鎖状態において、ホールディング外形は、ホールディング外形が、キャッチ部のラチェット外形と相互作用することによって当初の機能を満たすことを確実にする。キャッチ部のラチェット外形は、プリラチェットおよびメインラチェットを全体的に実証することができるか、プリラチェットまたはメインラチェット外形として設計されるので、キャッチ部は、関係するラチェット位置において、それぞれ、爪部のホールディング外形に支えられる。
【００１１】
このホールディング外形に拘わらず、爪部は、それでも、本発明に従うアンローリング外形を有し、ホールディング外形およびアンローリング外形が全体としてロック外形を画成する。アンローリング外形には、一般的に、支持またはロック効果を与えられない。その代わり、爪部のアンローリング外形は、キャッチ部が既にその解錠プロセルを始めたとき、すなわち、閉鎖位置または閉鎖状態を離れたとき、作用するようになる。この場合、爪部におけるホールディング外形とキャッチ部におけるラチェット外形とは、かみ合わないか、主に最早、かみ合っていない。
【００１２】
アンローリング外形をキャッチする解錠プロセス中、ロック機構の閉鎖状態から始まり、ラチェット外形、必要であれば、キャッチ部のハンドルも、アンローリング外形上を転がり落ちることができる。本発明によると、意図的に、爪部とのキャッチ部の機械的接触は、実際の閉鎖位置を超えて、ラチェット外形と向かい合うホールディング外形の関連した支持効果が起こる。一方で、爪部におけるアンローリング外形、他方で、シフトするラチェット外形またはキャッチ部における追加ハンドルは、このために役割を果たす。
【００１３】
この結果として、解錠するキャッチ部と、爪部のアンローリング外形と、結果的に爪部全体が、連続して互いに遠ざけられる。したがって、全体的な「カチッと音をたてる」ノイズまたは他の機械的ノイズは、最早、発生しないか、最小限に減少される。
【００１４】
これを詳細に達成可能にするため、ホールディング外形とアンローリング外形は、概して、爪部のキャッチ部側に接続されるようになる。ホールディング外形は、通常、爪部のリフトアウト方向において、アンローリング外形と接続される。爪部のリフトアウト方向は、通常、関係する回転軸を中心とした旋回運動に対応する。爪部の旋回運動は、機械的かつ手動的にレバーで始動可能である。
【００１５】
しかしながら、本発明の範囲内において、その動力化されたリフトアウトの為の駆動ユニットは、通常、爪部に割り当てられている。これが意味することは、爪部がリフトアウトされて爪部のリフトアウト方向も特定することを駆動ユニットが確実にする点である。このプロセスにおいて、爪部は、全体として、既に検討された回転軸を中心とした旋回運動を行う。回転軸または爪部の回転軸側の端部の反対側には、爪部のキャッチ部側の端部が、その為に設けられたアンローリング外形およびホールディング外形を備えて配置されている。
【００１６】
そのような方法で通常設計されることは、爪部のリフトアウト方向において、アンローリング外形が、ホールディング外形から少なくとも部分的に径方向に突き出ていることである。詳細には、爪部の関連したリフトアウト方向において、アンローリング外形は、ホールディング外形から、概略径方向に増加して又は次第に突き出る。これは、爪部の、その回転軸を中心とした旋回角度が増加すると、ホールディング外形とアンローリング外形との間の径方向の距離も大きくなり、次第に増加することを意味する。そのため、本発明は、リフトアウト方向に旋回される爪部と解錠するキャッチ部とが、それらの接触領域において、互いに、ますます遠くに隔てられる状況を考慮している。アンローリング外形は、次第に径方向にホールディング外形を越えて突き出るため、この点で、本発明は調整手段を生み出す。
【００１７】
詳細には、爪部のリフトアウト方向において、アンローリング外形が、その閉鎖状態において、キャッチ部と少なくとも部分的にオーバーラップするように設計されている。通常、関連したリフトアウト方向において、アンローリング外形は、キャッチ部におけるラチェット外形と、必要であれば、その閉鎖状態におけるキャッチ部のハンドルとオーバーラップする。このオーバーラップは、キャッチ部が解錠されるとき、爪部およびキャッチ部が一般的に互いに遠くに隔てられるようになる状況を考慮に入れている。本発明によると、閉鎖状態を越える機械的な接触を確実にすることができるため、キャッチ部の爪部は、いわば遅延する。これは、キャッチ部と、ラチェット外形と、必要に応じてキャッチ部のハンドルとオーバーラップする爪部のリフトアウト方向におけるアンローリング外形によって主に達成されるが、キャッチ部のハンドルに沿って、爪部は、説明済みの解錠運動中にアンローリング外形で滑る。
【００１８】
アンローリング外形およびホールディング外形は、それぞれ、円弧として概して形成される。本願発明者らは、一方ではアンローリング外形の為に、他方ではホールディング外形の為に、異なる中心位置および／または異なる半径を用いて整然と取り組む。一般的に、アンローリング外形の半径は、ホールディング外形の半径を上回るので、アンローリング外形は、あたかも、それがキャッチ部の解錠運動に関係するかのように、既に述べた「遅延」機能に対応可能である。
【００１９】
アンローリング外形の中心点とホールディング外形の中心点とは、通常、互いに一定の距離がおかれている。一般的に、ホールディング外形の中心点は、爪部の回転軸の下方に、アンローリング外形の中心点は回転軸の上方に配置される。さらに、それぞれの中心点と回転軸は、共通の接続部分にあるのが好ましい。
【００２０】
その結果、自動車ドア用ラッチには、特別な低ノイズ状態で解錠可能な爪部およびキャッチ部を備えたロック機構が備えられる。低ノイズ性が達成されるのは、爪部およびキャッチ部が、ロック機構の閉鎖状態から始まり、卓越した機械的接触を示すためである。この機械的接触は、一方では、爪部のアンローリング外形によって、他方では、キャッチ部のラチェット外形（必要であれば、更にキャッチ部のハンドル）によって作られる。さらに、隣接した外形は、ゆっくりと、突然ではなく、爪部とキャッチ部との両方からの距離を変更するように設計されている。したがって、キャッチ部および爪部間の最終的な分離まで、爪部およびキャッチ部間の不変の機械的な接触で、後の解錠運動を経て、ロック機構の閉鎖状態から全体的に特に「ソフトな」移行が保たれる。この運動プロセスは、特別な音響的利点に関連付けられている。
【図面の簡単な説明】
【００２１】
以下、実行例を示すにすぎない図に基づいて、その詳細を説明する。
【図１】図１は、自動車ドア用ラッチまたはそのロック機構の図である。
【図２】図２は、図１に部分的に適合される配置からの拡大断面図である。
【発明の詳細な説明】
【００２２】
図１は、キャッチ部２および爪部３を備えるロック機構２，３が中に配置されたフレームボックス１を有する自動車ドア用ラッチを示す。回転軸４は、キャッチ部２に対応するが、爪部３は、回転軸５を中心として旋回可能に配置されている。さらに、他のロック用ボルト６が認識される。
【００２３】
ロック機構２，３は、図１において、閉鎖状態で示されている。実行する実施例において、ロック機構２，３を解錠するため、限定されるものではないが、駆動ユニット７，８が爪部３を作動する。この実施例において、駆動ユニット７，８は、モータまたは電気モータ７と、モータ７によって加圧される作動カム８とを備える。作動カム８は、全体として螺旋設計になっている。したがって、電気モータ７を用いた関係する軸９を中心とした回転は、爪部３をキャッチ部２から持ち上げる。現時点において、示されたロック機構２，３の閉鎖状態において、キャッチ部２は、ラチェット外形１０で、爪部３のボルティング外形１１，１２上に支えられる。ラチェット外形１０とは、キャッチ部２のメインラチェット外形１０である。さらに、プリラチェット外形１３がキャッチ部２に設けられるが、キャッチ部２は、以下の着眼にとって重要ではない。
【００２４】
図１に示されたロック機構２，３の閉鎖状態において、ボルティング外形１１，１２を備えた爪部３は、キャッチ部２のメインラチェット外形またはラチェット外形と隣接する。実際、関連したラチェット外形１０を備えたキャッチ部２は、キャッチ部のボルティング外形１１，１２上で支えられる。駆動ユニット７，８を用いて爪部３がキャッチ部２から持ち上げられるとすぐに、キャッチ部２は、バネ作動方式で開く。このプロセスにおいて、キャッチ部２は、図１，図２において矢印Ｂで示されるように、その回転軸４を中心としたバネ力で時計廻りの方向に旋回される。
【００２５】
リフトアウトのため、爪部３は、同様に、時計廻りの方向に、その回転軸５を中心として移動する。リフトアウトする装置Ａは、これに対応する。キャッチ部２が、その解錠位置に達するとすぐに、ロック用ボルト６は、もはや固定されず、図２に示される矢印方向に移動可能になるか、ロック機構２，３および関係するラッチが、ロック用ボルト６から除去可能になる。このため、二重の矢印が図１に示され、これは、図示されていない後尾扉の解錠に対応する。後尾扉は、内部にラッチまたはロック機構２，３を収容するが、ロック用ボルト６は、実施例の場合、まだローディング室の土台に据え付けられたままになっている。
【００２６】
爪部３のボルティング外形１１，１２は、本発明によると、２つの部品で設計され、ホールディング外形１１およびアンローリング外形１２を備える。ホールディング外形１１は、ロック機構２，３の閉鎖状態において、キャッチ部２のメインラチェット外形１０またはラチェット外形と主に相互作用する。実際、ロック機構２，３の閉鎖状態において、キャッチ部２は、爪部３のホールディング外形１１で、正確に支えられる（図２を参照）。
【００２７】
しかしながら、爪部３は、リフトアウト方向において、駆動ユニット７，８によって加圧されるので、解錠プロセスがキャッチ部２を始動すると、アンローリング外形１２とラチェット外形１０との間で相互作用が起こる。これは、キャッチ部２のロックプロセスにおいて、ロック機構２，３の閉鎖状態にわたって、爪部３のアンローリング外形１２がラチェット外形１０でシフトすることを意味する。そのため、キャッチ部２は、アンローリング外形１２から、実用的に静かに持ち上げられる。
【００２８】
これを詳細に達成するため、ホールディング外形１１およびアンローリング外形１２は、共に、爪部３のキャッチ部側の端部に最初に配置されている。爪部３の回転軸側の端部は、爪部３のキャッチ部側と向かい合っており、ここに、爪部３のキャッチ部５が配置される。実際、ホールディング外形１１は、爪部３のリフトアウト方向において、アンローリング外形１２と接続される。さらに、図２の拡大スケッチに基づいて認識されることは、アンローリング外形１２が、爪部３の関連したリフト方向Ａにおいて、ホールディング外形１１を越えて、少なくとも部分的に径方向に突き出る点である。この点で、アンローリング外形１２は、爪部３のリフト方向Ａにおいて、径方向に増加して又は次第に突き出ていることが認められる。これが意味することは、リフト方向Ａにおいて、回転軸５を中心とした爪部３の旋回運動の角度が増加すると、アンローリング外形１２とホールディング外形１１との間の距離が大きくなることである。これは、それぞれの外形１１，１２またはその点線の延長に基づいて明らかである。
【００２９】
少なくとも部分的に閉鎖状態において、アンローリング外形１２は、爪部３のリフト方向Ａにおいて、キャッチ部２とオーバーラップする。実際、この点で、図２においてハッチング式に示されるオーバーラップ領域１４が認められる。アンローリング外形１２およびホールディング外形１１は、それぞれ、円弧として形成されている。半径ｒ１、ｒ２および関係する中心点Ｍ１、Ｍ２は、円弧に対応する。
【００３０】
半径ｒ１は、ホールディング外形１１に属し、ホールディング外形１１の関係する中心点Ｍ１で始まる。半径ｒ２は、アンローリング外形１２に対応し、関係する中心点Ｍ２を中心として引かれる。それぞれの円弧または外形１１，１２は、それぞれ、異なる半径ｒ１、ｒ２、また、異なる中心点Ｍ１，Ｍ２で授けられるように設計されている。さらに、アンローリング外形１２の半径ｒ２は、ホールディング外形１１の関連した半径ｒ１を上回る。そのため、いわゆる爪部３がリフトオフされるとき、結果的に、キャッチ部２における関係するラチェット外形１０のキャッチ部２の解錠運動のとき、ボルティング外形１１，１２が遅延または後方に続くように、爪部３におけるボルティング外形１１，１２が全体的に設計されている。
【００３１】
ホールディング外形１１または関係する円弧が爪部３のキャッチ部５の下方に半径ｒ１と共に配置される状況が、これに貢献している。対照的に、アンローリング外形の中心点Ｍ２は、半径ｒ２と共に、問題となっている回転軸５の上にある。両方の中心点Ｍ１，Ｍ２および回転軸５は、図２が点線で表示するように、共通接続部に全体として配置されている。もちろん、これは、実施例として理解されなければならず、回転軸５と比較して中心点Ｍ１，Ｍ２の配置と同一の方法で制限されるものではない。
【００３２】
爪部３がキャッチ部２から持ち上げられるとすぐに、キャッチ部２のラチェット外形１０は爪部３のホールディング外形１１から除去される。しかしながら、爪部３のアンローリング外形１２はホールディング外形１１に接続され、前述された次第に増加する径方向の距離で設計されているので、爪部３のアンローリング外形１２は、いわば、解錠プロセスにおいて、キャッチ部２におけるラチェット外形１０を追随する。これは、リフト方向Ａにおける回転軸５を中心として旋回する爪部３と、時計廻りの方向においてバネによって支えられる回転軸４を中心として旋回するキャッチ部２とが、ラチェット外形１０、必要であれば、更に、キャッチ部２のハンドル１５と相互作用するアンローリング外形１２によって、変更されず、互いに沿って滑ることを意味する。この滑り相互作用の終わりに、キャッチ部２および爪部３は、互いに、ゆっくりと増加する距離で、遠くに隔てられる。したがって、実用的に煩わしいノイズは、この分離プロセスに付随しない。
【図１】
2016509140.tif 000003
【図２】
2016509140.tif 000004
【国際調査報告】
2016509140.tif 000005
2016509140.tif 000006
2016509140.tif 000007
2016509140.tif 000008